(57)【要約】      （修正有）【課題】顔面にツヤ感や立体感を簡単かつ確実に出すことができる化粧用パフを提供する。【解決手段】化粧用パフ１は、化粧料を塗布する際に用いられる弾性体からなる化粧用パフであって、上側に設けられる把持部１０と、下側に設けられる塗布部２０と、把持部と塗布部の間に設けられ、把持部および塗布部より縮径されたくびれ部３０とを備える。使用者は、化粧料を塗布部の底面部２１に付着させ、塗布部の底面部で顔面をタップすることにより、タップ時に塗布部と顔面の間に生じる圧力が主に塗布部の弾性力により吸収されるため、化粧料を常に適度な圧力で顔面に塗布することができ、顔面にツヤ感を出すことが可能となる。また、使用者は、塗布部の側面部２２でフェイスラインをなぞって化粧料を吸い取りあるいは引き伸ばすことにより、フェイスラインにグラデーションを付与して立体感を出すことができる。【選択図】図２
2017060597.tif 000002
【特許請求の範囲】
【請求項１】
化粧料を塗布する際に用いられる弾性体からなる化粧用パフであって、
上側に設けられる把持部と、
下側に設けられる塗布部と、
前記把持部と前記塗布部の間に設けられ、前記把持部および前記塗布部より縮径されたくびれ部とを備えることを特徴とする化粧用パフ。
【請求項２】
前記把持部は、上端部が７０°〜７８°の角度をなす円錐状に形成されている請求項１に記載の化粧用パフ。
【請求項３】
前記把持部は、最大直径が３４ｍｍ〜３６ｍｍ、上下方向の最大長さが３１ｍｍ〜３３ｍｍに形成されている請求項１または請求項２に記載の化粧用パフ。
【請求項４】
前記塗布部は、底面部が偏平状に形成されている請求項１から請求項３のいずれかに記載の化粧用パフ。
【請求項５】
前記塗布部は、最大直径が３９ｍｍ〜４１ｍｍに形成されている請求項１から請求項４のいずれかに記載の化粧用パフ。
【請求項６】
前記塗布部は、上下方向の最大長さが２３ｍｍ〜２５ｍｍに形成されている請求項１から請求項５のいずれかに記載の化粧用パフ。
【請求項７】
請求項１から請求項６のいずれかに記載の化粧用パフと、前記化粧用パフにより塗布される化粧料が収容された化粧料用容器とを備えることを特徴とする化粧セット。
【発明の詳細な説明】
【技術分野】
【０００１】
本発明は、化粧料の塗布に使用する化粧用パフおよび該化粧用パフを備えた化粧セットに関するものである。
【背景技術】
【０００２】
従来から、主に女性がファンデーションや頬紅などの化粧料を顔面に塗布する際に使用される化粧用パフが知られている。このような化粧用パフには、パフの材質や形状を工夫した種々のものがあった。
【０００３】
例えば、特許文献１には、シリコーンゴムスポンジ形成性組成物を発泡・硬化して得られるスポンジからなる円板状の化粧用パフが開示されている。これによれば、該化粧用パフは、適度な硬さと良好なクッション性を有し、人肌に対する感触性に優れるという特徴を有する。
【０００４】
また、特許文献２には、円板状の化粧用パフであって、周方向に等間隔に並ぶ態様で径方向に突出した突出部を有する化粧用パフが開示されている。これによれば、使用者は、パフの使用の都度、別の突出部により化粧料を塗布することができるため、突出部の個数と同じ回数パフを使用するまでパフの洗浄の必要がなくなり、パフを洗浄する頻度を抑制することができる。
【先行技術文献】
【特許文献】
【０００５】
【特許文献１】特開２００３−１８９９２７号公報
【特許文献２】特開２０１５−５８１７０号公報
【発明の概要】
【発明が解決しようとする課題】
【０００６】
しかしながら、上記従来の化粧用パフは、平坦なパフをヘラ状に用い、顔面を平坦な面でなぞることにより化粧料を塗布するため、化粧料が厚塗りになって顔面にツヤ感が出にくいという問題や、化粧料の厚みが一定になって顔面に立体感が出にくいという問題があった。
【０００７】
また、上記従来の化粧用パフは、顔面を平坦な面でなぞりながら化粧料を塗布するため、小鼻や目の周り等のように凹凸が大きく狭い部分に化粧料が溜るという問題もあった。
【０００８】
また、上記従来の化粧用パフは、いずれも平坦で手に馴染まない形状であるため、把持しにくいという問題もあった。
【０００９】
本発明は、上述の問題に鑑みてなされたものであり、顔面にツヤ感や立体感を簡単かつ確実に出すことができる化粧用パフを提供することを目的とする。
【課題を解決するための手段】
【００１０】
本発明は、上記目的を達成するために、化粧料を塗布する際に用いられる弾性体からなる化粧用パフであって、上側に設けられる把持部と、下側に設けられる塗布部と、前記把持部と前記塗布部の間に設けられ、前記把持部および前記塗布部より縮径されたくびれ部とを備えることを特徴とする。
【００１１】
これによれば、使用者は、指先をくびれ部に沿わせて指先に軽く力を加えるだけでパフを簡単に把持することができる。
【００１２】
また、使用者は、化粧料を塗布部の底面部に付着させ、該塗布部の底面部で顔面をタップすることにより、タップ時に塗布部と顔面の間に生じる圧力が主に塗布部の弾性力により吸収されるため、化粧料を常に適度な圧力で顔面に塗布することができ、顔面にツヤ感を簡単かつ確実に出すことが可能となる。
【００１３】
また、使用者は、塗布部の底面部を顔面にタップして化粧料を顔面に塗布した後において、塗布部の側面部でフェイスラインをなぞって化粧料を吸い取りあるいは引き伸ばすことにより、フェイスラインにグラデーションを付与して立体感を簡単かつ確実に出すことができる。
【００１４】
また、前記把持部は、上端部が７０°〜７８°の角度をなす円錐状に形成されているのが好ましい。これによれば、使用者は、塗布部の底面で顔面をタップして化粧料を顔面に塗布した後において、小鼻や目の周り等のようにツヤ感を抑えたい部分を把持部の尖った上端部で押さえることにより、ツヤ感を抑えたい部分の化粧料を上端部で吸い取ってツヤ感を抑えることができるとともに、余分な化粧料が溜まりやすい箇所の余分な化粧料を吸い取ることができる。
【００１５】
また、前記把持部は、最大直径が３０ｍｍ〜４０ｍｍ、上下方向の最大長さが２８ｍｍ〜３８ｍｍに形成されているのが好ましい。これによれば、一般的な女性の使用者が把持部を把持し易くなり、一層良好な使用感を得ることができる。
【００１６】
また、前記塗布部は、底面部が偏平状に形成されているのが好ましい。これによれば、塗布部の底面部に化粧料を均等に広く付着させることができるとともに、塗布部の底面部で顔面をタップしたときに化粧料を顔面に均等に広く塗布することができる。
【００１７】
また、前記塗布部は、最大直径が３５ｍｍ〜４５ｍｍに形成されているのが好ましい。これによれば、塗布部が一般的なファンデーション等の化粧料を収容する化粧料用容器の化粧料面より径小となるため、使用者は塗布部の底面部に化粧料を効率的に付着させることができる。
【００１８】
また、前記塗布部は、上下方向の最大長さが１８ｍｍ〜２８ｍｍに形成されているのが好ましい。これによれば、塗布部が顔面との間に生じる圧力を吸収するための十分な高さを備えるため、使用者が塗布部の底面部で顔面をタップする際に、化粧料を顔面に一層適度な圧力で塗布することができる。
【００１９】
さらに、本発明に係る化粧セットは、前記化粧用パフと、前記化粧用パフにより塗布される化粧料が収容された化粧料用容器とを備えることを特徴とする。
【発明の効果】
【００２０】
本発明によれば、使用者は、指先をくびれ部に沿わせて指先に軽く力を加えるだけでパフを簡単に把持することができる。
【００２１】
また、使用者は、化粧料を塗布部の底面部に付着させ、該塗布部の底面部で顔面をタップすることにより、タップ時に塗布部と顔面の間に生じる圧力が主に塗布部の弾性力により吸収されるため、化粧料を常に適度な圧力で顔面に塗布することができ、顔面にツヤ感を簡単かつ確実に出すことが可能となる。
【００２２】
また、使用者は、塗布部の底面部を顔面にタップして化粧料を顔面に塗布した後において、塗布部の側面部でフェイスラインをなぞって化粧料を吸い取りあるいは引き伸ばすことにより、フェイスラインにグラデーションを付与して立体感を簡単かつ確実に出すことができる。
【００２３】
このように、使用者は、本パフを使用して化粧を行えば、化粧が厚ぼったくなくなり、若く見せることができる。また、朝などの忙しいときでも、化粧を簡単に済ませることができる。さらに、テカりを防止しながら、つや肌に仕上げることができる。さらにまた、化粧から時間が経過した夕方などにおいて、乾燥してしわが目立つことを防止することができる。
【図面の簡単な説明】
【００２４】
【図１】本発明の実施形態に係る化粧セットを示す斜視図である。
【図２】本発明の化粧用パフを示す斜視図である。
【図３】図２の化粧用パフの縦断面図である。
【図４】図２の化粧用パフの（ａ）平面図、（ｂ）底面図である。
【図５】化粧用パフの使用法を示す斜視図である。
【発明を実施するための形態】
【００２５】
次に、本発明に係る化粧用パフの実施形態について図１〜図５を参照しつつ説明する。
【００２６】
本化粧用パフ１は、図１に示すように、化粧用容器としてのファンデーション容器２と組み合わされて化粧セット３を構成している。この化粧用パフ１は、ファンデーションを顔面に塗布する際に使用される化粧用パフであって、弾性体のニトリルブタジエンラバー（ＮＢＲ）により構成されている。なお、本実施形態では、化粧用パフ１は約６０度のスポンジ硬度（アスカー硬度計Ｆ型により測定）を有する。
【００２７】
前記化粧用パフ１は、図２〜図４に示すように、上下方向の軸線を中心とする回転体状であって、上下方向の最大長さＬ１が５５ｍｍ〜５７ｍｍ、好ましくは５６ｍｍに形成されている。この化粧用パフ１は、上側に設けられる把持部１０と、下側に設けられる塗布部２０と、把持部１０と塗布部２０の間に設けられているくびれ部３０を備えている。
【００２８】
前記把持部１０は、指により把持される部分であって、最大直径Ｄ１が３４ｍｍ〜３６ｍｍ、好ましくは３５ｍｍ、上下方向の最大長さＬ２が３１ｍｍ〜３３ｍｍ、好ましくは３２ｍｍに形成されている。このため、把持部１０が女性の手に馴染むコンパクトなサイズであるため、一般的な女性の使用者が把持部１０を把持し易くなり、一層良好な使用感を得ることができる。また、把持部１０は、軸線上に配置された上端部１１と、上端部１１から下方に延びる側面部１２を備えている。
【００２９】
前記上端部１１は、下方に向かい７０°〜７８°、好ましくは７４°の角度θ１をなして拡がるやや丸みを帯びた円錐状に形成されている。このため、使用者は、塗布部１０の底面部２１で顔面をタップして化粧料を顔面に塗布した後において、小鼻や目の周り等のようにツヤ感を抑えたい部分を把持部１０の尖った上端部１１で押さえることにより、ツヤ感を抑えたい部分の化粧料を上端部１１で吸い取ってツヤ感を抑えることができるとともに、余分な化粧料が溜まりやすい箇所の余分な化粧料を吸い取ることができる。なお、角度θ１とは、図３に示すように、パフ１の上端と把持部１０の最大直径部１２ａとを結ぶ線分同士のなす角度である。
【００３０】
前記側面部１２は、上方において上端部１１と滑らかに接続しながら、下方に向かうに従い次第に直径が増大し、高さＨ１において最大直径Ｄ１をなす最大直径部１２ａを有している。そして、最大直径部１２ａからさらに下方に向かうに従い次第に直径が減少し、下方においてくびれ部３０と滑らかに接続している。これにより、側面部１２は、径方向に膨らんだ滑らかな曲面を形成している。なお、最大直径部１２ａの高さＨ１は、３２ｍｍ〜３４ｍｍ、好ましくは３３ｍｍである。また、本実施形態では、側面部１２の上端部１１の近傍における曲率半径Ｒ１が２６．４７ｍｍ、最大直径部１２ａの近傍における曲率半径Ｒ２が１６．５７ｍｍである。
【００３１】
前記塗布部２０は、化粧料が付着される部分であって、最大直径Ｄ２が３９ｍｍ〜４１ｍｍ、好ましくは４０ｍｍ、上下方向の最大長さＬ３が２３ｍｍ〜２５ｍｍ、好ましくは２４ｍｍに形成されている。このため、塗布部２０が一般的なファンデーション等の化粧料を収容する化粧料用容器の化粧料面より径小となるため、使用者は塗布部２０の底面部２１に化粧料を効率的に付着させることができる。また、塗布部２０が顔面との間に生じる圧力を吸収するための十分な高さを備えるため、使用者が塗布部２０の底面部２１で顔面をタップする際に、化粧料を顔面に一層適度な圧力で塗布することができる。
【００３２】
また、前記塗布部２０は、軸線上に配置された底面部２１と、底面部２１から上方に延びる側面部２２を備えている。
【００３３】
前記底面部２１は、下方に向かいゆるやかに曲がる扁平状に形成されている。具体的には、底面部２１は、図３に示すように、直径ｄが２５ｍｍ以上の２点Ｐ１，Ｐ２であって、互いの接線の開き角θ２が１４０°以上をなす２点Ｐ１，Ｐ２が存在する。このため、塗布部２０の底面部２１に化粧料を均等に広く付着させることができるとともに、塗布部２０の底面部２１で顔面をタップしたときに化粧料を顔面に均等に広く塗布することができる。なお、本実施形態では、底面部２１の軸線の近傍における曲率半径Ｒ３が５４．１４ｍｍである。
【００３４】
前記側面部２２は、下方において底面部２１と滑らかに接続しながら、上方に向かうに従い次第に直径が増大し、高さＨ２において最大直径Ｄ２をなす最大直径部２２ａを有している。そして、最大直径部２２ａからさらに上方に向かうに従い次第に直径が減少し、上方においてくびれ部３０と滑らかに接続している。これにより、側面部２２は、径方向に膨らんだ滑らかな曲面を形成している。なお、最大直径部２２ａの高さＨ２は、９ｍｍ〜１１ｍｍ、好ましくは１０ｍｍである。また、本実施形態では、側面部２２の最大直径部２２ａの近傍における曲率半径Ｒ４が１１．５９ｍｍ、くびれ部３０の近傍における曲率半径Ｒ５が１３．９１ｍｍである。
【００３５】
前記くびれ部３０は、把持部１０が指により把持される際に指先が沿う部分であって、把持部１０および塗布部２０より縮径されており、直径Ｄ３が３１ｍｍ〜３３ｍｍ、好ましくは３２ｍｍに形成されている。この前記くびれ部３０は、上側において把持部１０の側面部１２と滑らかに接続し、下側において塗布部２０の側面部２２と滑らかに接続している。このため、使用者は、指先をくびれ部３０に沿わせ指先に軽く力を加えるだけでパフ１を簡単に把持することができる。なお、このくびれ部３０の高さＬ３は、２３ｍｍ〜２５ｍｍ、好ましくは２４ｍｍである。
【００３６】
次に、化粧用パフ１の使用法について、図５を参照しつつ説明する。
【００３７】
まず、使用者は、指先をパフ１のくびれ部３０に沿わせて指の腹で把持部１０を把持する。このとき、使用者は指先をくびれ部３０に沿わせ指先に軽く力を加えるだけでパフ１を簡単に把持することができる。
【００３８】
次に、使用者は、図５（ａ）に示すように、塗布部２０の底面部２１をファンデーション容器２のファンデーション面２ａに軽く擦り付けることにより、塗布部２０の底面部２１に適量のファンデーションを付着させる。このとき、塗布部２０の底面部２１が偏平状に形成されているため、塗布部２０の底面部２１に化粧料を均等に広く付着させることができる。また、塗布部２０がファンデーション容器２のファンデーション面２ａより径小であるため、使用者は塗布部２０の底面部２１に化粧料を効率的に付着させることができる。
【００３９】
次に、使用者は、図５（ｂ）に示すように、ファンデーションを付着させた塗布部２０の底面部２１で顔面をタップする。このとき、塗布部２０の底面部２１が偏平状に形成されているため、化粧料を顔面に均等に広く塗布することができる。また、タップ時に塗布部２０と顔面の間に生じる圧力が主に塗布部２０の弾性力により吸収されるため、ファンデーションを常に適度な圧力で顔面に塗布することができ、顔面にツヤ感を簡単かつ確実に出すことが可能となる。
【００４０】
次に、使用者は、図５（ｃ）に示すように、塗布部２０の側面部２２でフェイスラインをなぞってファンデーションを吸い取りあるいは引き伸ばす。これにより、フェイスラインにグラデーションを付与して立体感を簡単かつ確実に出すことができる。なお、使用者は、フェイスラインをなぞって化粧料を吸い取りあるいは引き伸ばすに際し、把持部１０の側面部１２によりフェイスラインをなぞってもよい。
【００４１】
最後に、使用者は、図５（ｄ）に示すように、パフ１を持ちかえ、小鼻や目の周り等のようにツヤ感を抑えたい部分を把持部１０の尖った上端部１１で押さえる。これにより、ツヤ感を抑えたい部分の化粧料を上端部１１で吸い取ってツヤ感を抑えることができるとともに、余分な化粧料が溜まりやすい箇所の余分な化粧料を吸い取ることができる。
【００４２】
而して、使用者は、本パフ１を使用して化粧を行えば、化粧が厚ぼったくなくなり、若く見せることができる。また、朝などの忙しいときでも、化粧を簡単に済ませることができる。さらに、テカりを防止しながら、つや肌に仕上げることができる。さらにまた、化粧から時間が経過した夕方などにおいて、乾燥してしわが目立つことを防止することができる。
【００４３】
なお、上記実施形態では、化粧用パフ１は、ファンデーションを顔面に塗布する際に使用されるものとしたが、頬紅、アイシャドウ、化粧下地、コントロールカラー、コンシーラー等その他の化粧料を顔面に塗布する際に使用されるものであってもよい。
【００４４】
また、化粧用パフ１は、ニトリルブタジエンラバー（ＮＢＲ）により構成されているものとしたが、スチレンブタジエンラバー（ＳＢＲ）、ウレタン、シリコン、オレフィン系樹脂等その他の弾性体により構成されてもよい。
【００４５】
また、化粧用パフ１は、上下方向の軸線を中心とする回転体状に形成されているものとしたが、一部の側面に突起が設けられるなど回転体以外の形状に形成されてもよい。
【００４６】
また、前記把持部１０は、上端部１１が７０°〜７８°の角度をなす円錐状に形成されているものとしたが、それ以外の形状に形成されてもよい。
【００４７】
また、前記把持部１０は、最大直径Ｄ１が３４ｍｍ〜３６ｍｍ、上下方向の最大長さＬ２が３１ｍｍ〜３３ｍｍに形成されているものとしたが、それ以外のサイズに形成されてもよい。
【００４８】
また、前記塗布部２０は、最大直径Ｄ２が３９ｍｍ〜４１ｍｍ、上下方向の最大長さＬ３が２３ｍｍ〜２５ｍｍに形成されているものとしたが、それ以外のサイズに形成されてもよい。
【００４９】
また、前記底面部２１は、扁平状に形成されているものとしたが、扁平状に形成されていなくてもよい。
【００５０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５１】
１…化粧用パフ
１０…把持部
１１…上端部
１２…側面部
１２ａ…最大直径部
２０…塗布部
２１…底面部
２２…側面部
２２ａ…最大直径部
３０…くびれ部
２…ファンデーション容器（化粧料用容器）
２ａ…ファンデーション面（化粧料面）
３…化粧セット
【図１】
2017060597.tif 000003
【図２】
2017060597.tif 000004
【図３】
2017060597.tif 000005
【図４】
2017060597.tif 000006
【図５】
2017060597.tif 000007